(57)【要約】  ウェブ状製品用のクランプを備えた少なくとも１つのクランプキャリア１を有する、織機から引き出し方向８にウェブ状製品を引き出すための装置である。装置は、クランプキャリア１がガイドされるキャリアフレーム装置３と、クランプキャリア１が運動範囲内で前後に駆動可能な駆動手段とをさらに備える。織機に面する装置側４とクランプキャリア１との間の領域において、ウェブ状製品用の支持システム５は、この領域でのウェブ状製品のたるみが支持システム５によって回避または制限されようにキャリアフレーム装置３内に設けられる。
2020529376.tif 000002
【特許請求の範囲】
【請求項１】
ウェブ状製品（２０）のクランプを含む少なくとも１つのクランプキャリア（１）と、前記クランプキャリア（１）がガイドされるキャリアフレーム装置（３）と、前記クランプキャリア（１）が引き出し方向（８）の運動範囲内で前後に駆動できる駆動手段と、を備えた、前記ウェブ状製品（２０）を織機（１９）から前記引き出し方向（８）に引き出すための装置において、少なくとも前記織機に面する装置側（４）と前記クランプキャリア（１）の間の領域で、前記キャリアフレーム装置（３）内で、前記ウェブ状製品（２０）のための支持システム（５）は、この領域での前記ウェブ状製品（２０）のたるみ（１８）が前記支持システム（５）によって回避または制限されるように設けられていることを特徴とする、装置。
【請求項２】
第１のクランプキャリア（１）に加えて、第２のクランプキャリア（２）が設けられ、両方のクランプキャリア（１，２）は、前記ウェブ状製品（２０）が前記第１のクランプキャリア（１）と前記第２のクランプキャリア（２）とにより少なくとも一時的に同時にクランプされた状態で保持されるように構成され、駆動可能であることを特徴とする、請求項１に記載の装置。
【請求項３】
前記支持システム（５）は、前記ウェブ状製品（２０）の前記生産速度に対応する速度で前記引き出し方向（８）に移動可能なテンションケーブル（６）および／またはスティフバックチェーン（７）を含むことを特徴とする、請求項１または２に記載の装置。
【請求項４】
前記テンションケーブル（６）および／または前記スティフバックチェーン（７）が前記引き出し方向に前後に駆動可能であることを特徴とする、請求項３に記載の装置。
【請求項５】
前記テンションケーブル（６）および／または前記スティフバックチェーン（７）を、ケーブル巻き取り機（３０）またはチェーン保管ユニット（９）に巻き取るもしくは押し込むことができ、またはこれから引き出すことができることを特徴とする、請求項３に記載の装置。
【請求項６】
前記ウェブ状製品（２０）のための前記支持システム（５）が、互いに運動が同期化された少なくとも２つのスティフバックチェーン（７）を備えることを特徴とする、請求項３に記載の装置。
【請求項７】
前記ケーブル巻き取り機（３０）または前記チェーン保管ユニット（９）が、前記織機に面する前記装置側（４）または前記装置のクランプキャリア（１，２）に配置されることを特徴とする、請求項５に記載の装置。
【請求項８】
少なくとも１つのクランプキャリア（１，２）が、クランプバーとして実現された上部クランプ（１０）および下部クランプ（１１）をそれぞれ備え、前記テンションケーブル（６）および／または前記スティフバックチェーンは、それぞれの下部クランプバー本体（１２）の開口部を通してガイドされ、前記開口部は、前記テンションケーブル（６）および／または前記スティフバックチェーン（７）が前記ウェブ状製品を支持する水平配置から外れることなく、前記ウェブ状製品（２０）をクランプするために前記それぞれの下部クランプバー（１１）の必要なクランプストローク距離を実行できるようなサイズであることを特徴とする、請求項３に記載の装置。
【請求項９】
前記テンションケーブル（６）および／または前記スティフバックチェーン（７）が無端要素として実現されることを特徴とする、請求項３に記載の装置。
【請求項１０】
前記支持システム（５）は、前記キャリアフレーム装置（３）内に配置された少なくとも１つの昇降テーブルを備え、前記昇降テーブルは、格納位置から底面側で前記ウェブ状製品（２０）を支持する支持位置に伸展可能であることを特徴とする、請求項１または２に記載の装置。
【請求項１１】
少なくとも１つのクランプキャリア（１）と前記織機に面する装置側（４）との間で前記ウェブ状製品（２０）を底面側で支持する前記支持システム（５）は、シザーズロッドリンケージシステム（１４）を備えることを特徴とする、請求項１または２に記載の装置。
【発明の詳細な説明】
【技術分野】
【０００１】
本発明は、織機からウェブ状製品を引き出すための装置に関する。
【背景技術】
【０００２】
織機からウェブ状製品を引き出すための装置は知られている。それらは、通常、ウェブ状製品、特に織物ウェブが連続的または部分的に製造される場合に利用され、これにより、織機から引き出された後に製造されたウェブ状製品は、それらをさらなる加工または処理プロセスに供給するために、巻き取られる。
【０００３】
ウェブ状製品を製造し、引き出すための装置は、独国特許第１０２０１５２２２１４２号明細書から知られている。クランプを備えた２つのクランプキャリアは、織機からウェブ状製品を引き出すのに役立ち、さらに駆動手段が設けられ、それによってクランプキャリアがウェブ状製品の引き出し方向に前後に駆動される。ウェブ状製品の引き出しは、クランプの制御された開閉に関連するクランプキャリアの前後運動によって達成され、クランプキャリア用の駆動手段の作動により、クランプを備えたウェブ状製品に引張応力または引張力が加えられる。この既知の装置によれば、ウェブ状製品は、主要部分と補助部分を備えて製造される。補助部分は、これらの部分でクランプがウェブ状製品を把持するように機能し、つまり、クランプの開閉は、ウェブ状製品を保持するための補助部分が製造されているウェブ状製品を製造する時間セグメントでのみ実行される。
【発明の概要】
【発明が解決しようとする課題】
【０００４】
本発明の根底にある目的は、厚い用品、特にいわゆる多層の織物ウェブやファブリックなどの３Ｄ用品に利用可能な、織機からウェブ状製品を引き出すための装置を製造することに関し、この装置により、ウェブ状製品の完成した製造部分のたるみを最小限に抑えるか、完全に回避する。
【課題を解決するための手段】
【０００５】
この目的は、請求項１に記載の特徴を有する織機からウェブ状製品を引き出すための装置によって達成される。好適なさらなる開発は、従属請求項に定義されている。
【０００６】
織機からウェブ状製品を引き出すための本発明による装置は、ウェブ状製品用のクランプを含む少なくとも１つのクランプキャリア、クランプキャリアがガイドされるキャリアフレーム装置、および織機からのウェブ状製品の引き出し方向の運動範囲においてクランプキャリアが前後に駆動可能になる駆動手段を備える。その点で、引き出しは好ましくは水平に達成される。本発明の範囲において、「ウェブ状製品」という用語は、特に三次元的に実現されたウェブ状製品を覆うものとして理解されるべきであり、好ましくは多層の織物ウェブやファブリックを含む。本発明によれば、クランプキャリアは、クランプキャリアの動作範囲内でウェブ状製品をクランプで保持できるように実現される。本発明によれば、ウェブ状製品の支持システムは、少なくとも織機に面する装置側と、キャリアフレーム装置内のクランプキャリアとの間に設けられる。それにより、装置側とクランプキャリアとの間の許容できないほど大きなたるみが回避される。ウェブ状製品は、織機のクランプキャリアによって把持可能であり、基本的に生産速度で引き出し方向にガイドできる。とりわけ、支持システムは、ウェブ状製品を引き出すための装置内でたるみを許容することなく、織機から厚くてある程度柔軟なウェブ状製品を引き出すことができるように機能する。すなわち、三次元、例えば多層の実現されたウェブ状製品の場合、自重により許容できないほど大きなたるみが生じ、それにより三次元的に実現されたウェブ状製品の内部構造が変形して、品質が低下する危険性が存在する。
【０００７】
支持システムにより、ウェブ状製品が支持されるため、いずれの場合も製品のわずかなたるみしか存在しない。ここで、厚さが約６〜２０ｍｍの製品、または場合によっては４０〜１００ｍｍ以上の範囲にある製品は、非常に厚いまたは多層のウェブ状製品とも呼ばれる。そのような三次元的に実現されたウェブ状製品は、もはや布ビームまたは巻き取りローラに巻き付けられることはできない。それにより、この三次元的に実現されたウェブ状製品は、その内部構造が損傷および変形する可能性がある。したがって、通常、非常に厚いウェブ状製品は、三次元構造を形成する個々の層または個々の糸がずれたり変形したりしないように、織機から水平方向、つまり経糸方向に引き出されなければならない。用途または利用状況に応じて、装置内で保持および支持される製品部分は比較的長くなる可能性があるため、たるみの回避が最も重要である。
【０００８】
ウェブ状製品部分のおそらく生じるたるみは、装置の幅、すなわちキャリアフレーム装置の幅、織機から引き出し用の装置に製品部分を引き込むクランプキャリアの引張応力、製造された部分の長さ、およびウェブ状製品の単位面積当たりの重量に依存する。本発明による支持システムにより、製品部分を装置内でそのような平面状に保持できるので、幅方向および長手方向の織物ウェブの品質が許容できないほど大きなたるみによって損なわれることはない。
【０００９】
好ましくは、織機とは反対側の装置の側面と第１のクランプキャリアとの間に第２のクランプキャリアがさらに設けられる。ウェブ状製品は、第１および第２のクランプキャリアによって少なくとも一時的にクランプされた状態で保持される。これは、ウェブ状製品がその前端でクランプにより保持され、織機の装置側に面する後端で少なくとも一時的に同様にクランプで保持されることを意味する。
【００１０】
好ましくは、支持システムは、テンションケーブルまたはスティフバックチェーン、あるいはテンションケーブルとスティフバックチェーンの組み合わせの形態で実現される。その点に関して、支持システムは、ウェブ状製品の生産速度に対応する速度で引き出し方向に移動可能である。支持システムが製品部分の生産速度に対応する速度で移動可能であるため、製品を損傷する可能性のある望ましくない摩擦が支持システムに生じないことが保証される。
【００１１】
本発明のさらなる開発によれば、第１の、または場合によっては、第２のクランプキャリアは、テンションケーブルおよび／またはスティフバックチェーンを駆動し、それにより、好ましくは、テンションケーブルをケーブル巻き取り機に巻き取ることができ、スティフバックチェーンをチェーン保管ユニットにスライドすることができ、またはこれらから引き出すことができる。ケーブル巻き取り機および／またはチェーン保管ユニットは、１つまたは複数のクランプキャリアの前後運動中に支持システムを巻き取るか、またはそのような保管ユニットから巻き戻すのに役立つ。巻き取りまたは巻き戻し保管ユニットを使用する利点は、とりわけ、装置の作業長が製品部分の変更された所望の長さに容易に適応できるという点にある。
【００１２】
「スティフバックチェーン（stiff-backed chains）」またはいわゆるスラストチェーンという用語は、次々に配置され、チェーンピンもしくはボルトで接続された複数のチェーンリンクで構成されるチェーンと理解され、チェーンピンの軸を中心とするチェーンリンクの曲げまたはねじれが一方向に可能であるが、他の方向ではチェーンリンクの直線配列を超えたねじれがブロックされるように実現される。そのようなチェーンの例示的な実施形態は、例えば、欧州特許出願公開第１７４４０７９号明細書、独国実用新案第２０２０９９５７号明細書、または独国特許出願公開第１０１３７９３９号明細書に見られる。したがって、これらのチェーンは、製品部分の支持に役立つ支持平面から外れることなく、製品の下の支持として生産方向に押されることができる。
【００１３】
好ましくは、テンションケーブルまたはスティフバックチェーンは、製品部分の長手方向に移動可能であり、互いに平行である。つまり、製品部分がクランプキャリアによってガイドされるキャリアフレーム装置の幅にわたって、テンション側および／またはスティフバックチェーンは、製品部分の均一な支持を保証する支持または接触面の平面、すなわち支持平面が形成されるように、互いに隣り合って配置されるため、これは装置内でたるみがほとんどなく、すなわち特に引き出し方向に対応する長手方向にたるみがないようにガイドできる。
【００１４】
運動が互いに同期している少なくとも２つのスティフバックチェーンを備えた支持システムは、織機に面する装置側と、第１のクランプキャリアまたは（存在する場合）第２のクランプキャリアとの間の領域に設けることが好ましい。一方で、支持システムのコスト、労力、または複雑さを制限内に維持する必要があり、他方では、製品部分には特定の自己剛性が含まれる場合、２つのスティフバックチェーンのみを提供することは、とりわけ適切であり、このため、製品部分は、織物ウェブ部分の直接的な支持が与えられていない２つのスティフバックチェーンの間でたるまないか、少なくとも大幅にはたるまない。
【００１５】
好ましくは、各クランプキャリアは、クランプキャリア内のクランプバー本体に取り付けられるクランプとしてそれぞれ１つの上部および１つの下部クランプバーを備え、それにより、テンションケーブルおよび／またはスティフバックチェーンすなわちスラストチェーンがそれぞれの下部クランプバー本体の開口部を通じてガイドされる。その点に関して、製品部分のクランプのために必要なクランプストロークまたは各下部クランプバーの移動が、テンションケーブルおよび／またはスティフバックチェーンが支持平面から外れることなく実行され得るようなサイズの開口部が適切である。
【００１６】
クランプバーの代わりに、原則としてフック状または針状の要素を利用して、ウェブ状製品をクランプキャリアに固定することができる。したがって、例えば、フック形状の要素が取り付けられたバーまたは針が付いたバーを、上部および／または下部のクランプキャリアに取り付けることができる。垂直クランピングストロークを実行する場合、フックまたは針はウェブ状製品に沈むか、または貫通する。これらの場合、グランド材料の損傷を避けるために、ウェブ状製品に特定の間隔距離で補助部分を提供する必要があり、この補助部分は後で切断される。
【００１７】
さらなる例示的な実施形態によれば、テンションケーブルおよび／またはスティフバックチェーンは、無端要素として実現される。そのような場合、前述の巻き取りデバイスまたは巻き戻しデバイスは省略される。代わりに、テンションケーブルまたはチェーンを装置内で引き出し方向から反対方向に偏向させるために、ケーブルローラまたはチェーンホイールなどの偏向要素が設けられる。これにより、構造的に単純化された実施形態がもたらされ、これは、常に一定の長さの製造される製品部分に適切であり得る。
【００１８】
さらに好ましくは、テンションケーブルおよび／またはスティフバックチェーンは、ウェブ状製品の引き出し方向の第１のクランプキャリアまたは場合によっては第２のクランプキャリアの運動で巻き取りおよび巻き戻し可能である。そのために、巻き取りユニットまたは巻き戻しユニットがそれぞれのクランプキャリアに組み込まれているため、この装置または装置全体をコンパクトに実現できる。
【００１９】
さらに好ましくは、支持システムは、キャリアフレーム装置内に配置された昇降テーブルを備え、昇降テーブルは、格納位置から下側で製品部分を支持する支持位置に搬送可能であり、本質的にたるみを回避する。複数の昇降テーブルで構成される昇降テーブルシステムを設けることもできる。
【００２０】
本発明のさらなる実施形態によれば、第１のクランプキャリアまたは適用可能な場合は第２のクランプキャリアと織機との間でウェブ状製品を下側で支持する支持システムが、例えばキャリアロール、スライドレール、スライドシート、テンションケーブルを有するシザーズロッドリンケージシステムを備える。このようなシザーズロッドリンケージシステムの利点は、とりわけ、装置内で支持される製品部分の支持長さが製品部分の異なる長さに比較的容易に適応できるという点にある。
【００２１】
キャリアロール、スライドレール、スライドシートまたはテンションケーブルは、支持される製品部分に向かう方向を向くそれぞれの表面が支持平面を形成するように、シザーズロッドリンケージシステムに配置される。シザーズロッドリンケージシステムは、好ましくは約３：１の長さの比率で、引き延ばされた状態から引き込まれた「押しつぶされたまたは圧縮された」状態に搬送可能である。好ましくは６ｍの装置の長さでは、押しつぶされたまたは圧縮された長さは約２ｍになる。したがって、織物ウェブの廃棄物を小さく保つために、シザーズロッドリンケージシステムをクランプキャリアの下の領域に下向きに搬送可能にすることをさらに提供することができ、これは、スライドブロックガイドのようにガイドレールによって特に実現可能である。
【００２２】
本発明のさらなる利点、実施形態、および詳細を、いくつかの例示的な実施形態による図に関連して説明する。
【図面の簡単な説明】
【００２３】
【図１】第１の例示的な実施形態による織機からウェブ状製品を引き出すための本発明による装置の斜視図である。
【図２】図１による装置のクランプキャリアおよびチェーン保管ユニットの詳細図である。
【図３ａ】個々のセグメントからなるクランプバーを備えた本発明による装置の長手方向の原理図である。
【図３ｂ】本発明による支持システムを通って導くための開口部を有するウェブ状製品をクランプするためのクランプバーの詳細図である。
【図４】支持システムとしてケーブルを備えた第２の例示的な実施形態による本発明による装置の原理図である。
【図５】従来技術による装置の側面図であり、キャリアフレーム装置内、ならびに織機とウェブ状製品を引き出すための装置との間の領域におけるウェブ状製品のたるみｆの原理を示している。
【図６ａ】支持システムとして互いに隣り合って配置された２つのキャリアロールトレインを有する第３の例示的な実施形態によるウェブ状製品を引き出すための本発明による装置の図である。
【図６ｂ】図６ａに係るキャリアフレーム装置内で互いに隣り合って配置された２つのキャリアロールトレインの詳細図である。
【図６ｃ】図６ａに係る例示的な実施形態による軸受支持体を含むキャリアロールの拡大詳細図である。
【図７ａ】スラストチェーンとして実現された支持システムを備えた、図１〜図３に係る本発明による装置の側部領域を示す図であり、そのスラストチェーンは、保管ユニットに収容され、再び巻き戻され得る。
【図７ｂ】スラストチェーンとして実現された支持システムを備えた、図１〜図３に係る本発明による装置の側部領域を示す図であり、そのスラストチェーンは、保管ユニットに収容され、再び巻き戻され得る。
【図８】支持システムとしてのシザーズロッドリンケージシステムの形態のウェブ状製品を引き出すための装置の第４実施形態の例を示す図である。
【図９】支持システムとして５つの昇降テーブルを備えた昇降テーブルシステムを備えた、本発明による第５実施形態の例による装置の斜視図である。
【図１０ａ】昇降テーブルが完全に下方に駆動された図９に係る装置の原理図である。
【図１０ｂ】昇降テーブルが部分的に延伸された図９に係る装置を示す図である。
【図１０ｃ】昇降テーブルが支持位置に延伸している図９に係る装置を示す図である。
【発明を実施するための形態】
【００２４】
原理または概略説明の側面図において、図５は、従来技術によるウェブ状製品２０を引き出すための装置を示している。図５は、装置の長手方向の断面図を表している。この装置は、２つのクランプキャリア１，２、キャリアフレーム３、２つのクランプキャリア用の駆動スピンドル１６、カバー１７、および織機１９を含む。製造されたウェブ状用品、すなわちウェブ状製品２０は、クランプキャリア１とクランプキャリア２との間に示されており、中央にたるみ１８（ｆ２）を含む。本発明による装置は、このたるみを回避または制限する。織機１９と引き出し装置との間のたるみｆ１も回避されるようにするために、引き出し装置が織機１９に可能な限り近接して配置されるのがさらに好適である。
【００２５】
本発明による装置の第１の実施形態の斜視図が図１に示されている。装置は、装置側４が引き出し方向８で織機に面するように配置され、いわば、図示されていない織機の隣にあるかまたはそれに接する。図１の例では、キャリアフレーム装置３は、第１のクランプキャリア１と第２のクランプキャリア２を搭載し、後者は、チェーン保管ユニット９を備え、その中に、支持システム５として設けられたスティフバックチェーン７が配置されている。スティフバックチェーン７の数は、この例ではこのようなチェーン７のうちの４つが示されており、織機によって製造されるウェブ状製品の幅およびその自己剛性に応じて決定される。
【００２６】
チェーン保管ユニット９が第２のクランプキャリア２に割り当てられ、クランプキャリアは、ウェブ状製品を把持してクランプし、引き出しのために生産速度で動かすために装置内に設けられる。支持システム５の支持長さは、製造されたウェブ状製品の第２のクランプキャリア２までの長さに対応し；支持システムの残りの部分は保管ユニット内にあり、ここに示されている実施形態では、チェーン保管ユニット９内でスティフバックチェーン７として巻き取られる。これにより、装置の背面部分、図１の左下に示されている部分は、チェーン保管ユニット９まで保守作業のために作業員が自由にアクセスできる。スピンドル１６は、キャリアフレーム装置３の両側に設けられ、そのスピンドルは割り当てられ対応する駆動部（図示せず）を介して、キャリアフレーム装置内でクランプデバイス１，２を前後に駆動する。スピンドル１６の隣には、ケーブルドラグチェーン１５が配置され、これにより、クランプキャリアの駆動部への対応する供給ラインの供給または送達が保証される。スティフバックチェーンは、互いに対して間隔距離を有し、これにより、幅方向にも、現在の自重によるウェブ状製品のたるみを防ぐ。
【００２７】
ウェブ状製品２０が織機によって製造されるとき、第２のクランプキャリア２は、ウェブ状製品の前縁を把持またはクランプし、製造される部分の所望の長さにわたってウェブ状製品の生産速度で、クランプ方式で同じように移動する。引き出しの間、製造されたウェブ状製品２０は、スティフバックチェーン７上でたるみが本質的にない状態で支持される。ウェブ状製品２０の第１の部分の製造された長さに達した後、第１のクランプキャリア１は、次の製造されたウェブ状製品部分の前縁を把持し、引き出し装置と織機との間の張力を維持する。第１のクランプキャリアによってウェブ状製品部分を把持した後、第２のクランプキャリア２のクランプを開くことができる。次に、第２のクランプキャリア２が引き出し装置の後方領域から戻って移動し、製造されたウェブ状製品部分を、オペレータによって装置から取り出すことができる。スティフバックチェーン７は、クランプキャリア１および２の開口部１３を通ってガイドされる。第２のクランプキャリアが本発明による引き出し装置の後方領域から織機に向かう方向に移動すると、これらは再びチェーン保管ユニット９に巻き取られる。
【００２８】
引き出し方向８と反対の方法で開かれた第２のクランプキャリア２が第１のクランプキャリア１に到達するとすぐに、第１のクランプキャリアによって把持された製品部分は、クランプおよび駆動部の対応する制御によって第２のクランプキャリアに転送され、そして上記のプロセスが新たに始まる。
【００２９】
それぞれ第１のクランプキャリア１および第２のクランプキャリア２の上部クランプバー１０および下部クランプバー１１の詳細斜視図が図２に示されている。スティフバックチェーン７は、クランプキャリア１および２のクランプバー本体１２を通って開口部１３を通ってガイドされ、チェーン保管ユニット９にガイドされ、そこで巻き取られる。対応する逆の運動により、チェーン保管ユニット内のチェーンが再び巻き戻される。この図では、第２のクランプキャリア２はクランプバー１０，１１をほぼ閉じているが、第１のクランプキャリア１では、上部クランプバー１０と下部クランプバー１１が大きく開いている。クランプバー１０，１１の領域では、スティフバックチェーン７の上に載っている間、製造されたウェブ状製品２０は、第１のクランプキャリア１および第２のクランプキャリア２を通って本質的にたるみのない状態でガイドされ、これにより、対応するクランプバー１０，１１がウェブ状製品２０のクランプに効果的になることができる。
【００３０】
取り出しまたは引き出しの方向、すなわち、ウェブ状製品を引き出すための装置の長手方向の原理または概略図が図３ａに示されており、ウェブ状製品２０は、上部クランプバー１０と下部クランプバー１１との間に支持された方法でクランプまたは保持される。上部クランプバー１０と下部クランプバー１０の両方が個々のセグメントに分割されている。三次元ウェブ状製品２０の製造中に、製造された厚さに特定の差が生じ得るか、またはそのように意図的に製造されるため、それにより、クランプするウェブ状製品の幅にわたる任意の場所で各クランプキャリアに滑りまたは不十分なクランプが生じないことが保証される。下部クランプバー１１を形成するセグメントには、対応する開口部１３が、スティフバックチェーン７によってウェブ状製品を支持するための間隔距離に対応して設けられており、その開口部を通して、スティフバックチェーンはクランプされる製品２０およびクランプバーとの衝突が回避されるようにガイドされる。図示された第１のクランプキャリアは、両側に設けられたガイドトラック２４を介してガイドされる。クランプされるウェブ状製品は、平面２５に延びている。加えて、スピンドル１６が示されており、これは、それぞれのクランプキャリア１，２の運動の安全で信頼できる正確な駆動を保証する。
【００３１】
第１のクランプキャリア１および第２のクランプキャリア２のクランプ領域のさらなる詳細図が、図３ｂの斜視図に示されている。一例として、スティフバックチェーン７が１つだけ示されており、上部クランプバー１０と下部クランプバー１１との間で有効な実際のクランプ領域の下で、それぞれのクランプバー本体１２に開口部１３が設けられ、その開口部を通して、スティフバックチェーン７がガイドされる。スティフバックチェーン７をガイドする開口部１３は、クランプバー本体１２に機械加工されている。スティフバックチェーン７の上方には、支持接触面２９がクランプバー１０，１１の直前と直後に設けられ、支持接触面上にウェブ状製品２０が載置され、クランプバー１０，１１の直接クランプ面とほぼ同じレベルにある。これらの支持接触面２９とスティフバックチェーンの上面の支持平面との間には高さの差が存在し、この高さの差は必要であり、このため、スティフバックチェーン７がクランプバー本体１２を通じて、実際には、クランプバー１０，１１の直接クランプ面の下でガイドされ得、その結果、他方では、その移動の目的のために設けられた位置でウェブ状製品のクランプが行われ得る。第１および第２のクランプキャリアの２つの下部クランプバー本体１２が示されており、図３の左側に示されている第１のクランプキャリアのクランプバー本体は、開口部１３により底部に向かって移動または駆動するため、スティフバックチェーン７は、開口部１３の上部リムまたはエッジの上面で、まだほとんど滑っていない。対照的に、図３の右側に示されている第２のクランプキャリアのクランプバー本体１２は、支持接触面２９が上部クランプバー１０および下部クランプバー１１の直接クランプ面と本質的に同一平面に揃うように、上方に向かって移動または駆動される。
【００３２】
さらなる例示的な実施形態が図４に示されており、そこでは、互いに本質的に平行に配置された複数のテンションケーブル６が支持システムとして設けられている。テンションケーブル６は、長手方向にキャリアフレーム装置３の間でウェブ状製品２０を引き出すために、本発明による装置内に延在する。その点に関して、テンションケーブル６は、そのような張力により、張力下でクランプキャリア１，２の間の領域をまたぐかまたは覆うことができるように寸法付けられ、その結果、搬送中にウェブ状製品２０または製品部分の接触を支持すると、テンションケーブル６はたるまないか、わずかにたるんでいる。テンションケーブル６は、装置の前側４の領域でケーブル巻き取り機３０に固定され、本質的にウェブ状製品２０の生産速度での第２のクランプキャリア２の運動でケーブル巻き取り機３０から引き出され、そのため、引き出された長さは、第２のクランプキャリアまでのウェブ状製品の製造直後の長さに対応する。ケーブルは、互いに対して本質的に一定の間隔距離で配置される。ウェブ状製品２０の製造幅に応じて、支持に不要なテンションケーブルを外すことができ、その結果、製品のたるみを回避するために、製造されたウェブ状製品２０の幅によって要求されるように、互いに隣り合って配置された非常に多くのテンションケーブル６のみが第２のクランプキャリア２によって張力下でケーブル巻き取り機３０から引き出される。図４から、ウェブ状製品２０は織機１９により製造され、ウェブ状製品を引き出すための装置に転送されることが分かる。キャリアフレーム装置３の両側は、原理または概略図で示されており、それぞれ対応するスピンドル１６が配置され、その上にクランプキャリア１，２が軸受で支持され可動式にガイドされる。
【００３３】
本発明による別の例示的な実施形態が図６ａに示されており、そこでは、支持システム５は、互いに隣り合って配置された２つのキャリアロールトレイン２３によって実現されている。ウェブ状製品２０は、図６ａによる装置を右から左に向かって引き出し方向に走行する。チェーン保管ユニット９は、ウェブ状製品を引き出すための装置へのウェブ状製品２０の入口の右側のキャリアフレーム装置３に設けられている。本発明による装置の出口端には、第２のクランプキャリア２が示されており、そこにチェーン７の他端が固定され、キャリアロール２３が軸受で支持されている。互いに平行な向きで互いに隣り合って配置されたキャリアロールトレイン間の間隔距離は、製造されたウェブ状製品２０の自己剛性に応じて適合され得る。
【００３４】
図６ａによる例示的な実施形態は、図６ｂの拡大図に示されている。このことから、個々のキャリアロール２１は、両側がそれぞれスティフバックチェーンまたはスラストチェーンで接続されていることが明らかとなり、その結果、この例示的な実施形態による支持システム５は、同様に、同じたるみのないウェブ状製品２０の生産速度でのウェブ状製品を引き出すための装置を介して搬送され得、なぜなら、キャリアロール２１を備えたこの支持システム５は、自己剛性または固有の剛性が本質的にキャリアロール２１によって直接支持されていないキャリアロール間の中間空間のたるみを防ぐように実現されているためである。
【００３５】
スラストチェーンとそれぞれ２つのキャリアロール２１は、図６ｃに再び拡大した図で示されている。この図から、スラストチェーン上で、ローラベアリング２２と２つの隣接するキャリアロール２１は、個々のローラベアリング２２間の軸方向の間隔距離の４倍の倍数に対応する互いの間隔距離で配置されていることが明らかになる。ウェブ状製品２０の剛性に応じて、キャリアロール２１の間隔距離を変えることができるため、最も狭い場合には、１つのキャリアロール２１が個々のローラベアリング２２に割り当てられる。
【００３６】
図７ａは、原理または概略図で、ウェブ状製品２０を引き出すための本発明による装置の側面を示し、実際、スラストチェーンの形でスティフバックチェーン７を有する図１から図３による例示的な実施形態を示している。そのようなスラストチェーン７の１つの可能な実施形態が図７ｂに示されている。これにより、チェーンリンク７．１，７．２，７．３が交互に提供され、それぞれチェーンジョイントを介して相互に接続される。各チェーンジョイントには、チェーンボルトまたはピン７．４が含まれる。チェーンリンク７．１および７．２は、チェーンの走行方向の端面に、支持またはブレーシング輪郭を備えている。支持またはブレーシング輪郭の配置は、チェーンボルトまたはピン７．４．の軸を中心としたチェーンリンクの回転が、隣接する支持またはブレーシング輪郭の接触により、可能な両方の回転方向の一方で防止されるように実現される。したがって、チェーンは、チェーンのボルトまたはピンに垂直な方向およびチェーンの長手方向軸に垂直な方向にねじれることなく力を吸収できる。この特性は、「スティッフバック」とも呼ばれる。チェーンリンクと支持またはブレーシング輪郭は、ここでは例示的な方法で示されている。記載された特性を達成するために、例えば、上記の先行技術により、そのようなスラストチェーンの他の形式および実施形態も可能である。
【００３７】
これらのスラストチェーンは、製造されたウェブ状製品２０の対応する支持領域を形成する。一端において、これらのスティフバックチェーン７は、それぞれの割り当てられたチェーン保管ユニット９にガイド可能である。必要な支持部の長さを短くすると、スティフバックチェーン７がチェーン保管ユニット９に搬送または送り込まれ、そこで巻き取られる。対照的に、必要な支持領域を長くすると、チェーンはチェーン保管ユニット９から巻き戻される。ウェブ状製品をより長い長さで製造する場合、支持システムとしてスティフバックチェーン７を上部に向かってわずかに湾曲させるまたは反らせることは確かに適切であり、その結果、その上にウェブ状製品が静止接触する負荷の下で、スティフバックチェーンは、本質的に平坦な、いわゆるヌル位置に変形する。
【００３８】
またさらなる実施形態の例が図８に示されており、シザーズロッドリンケージシステム１４が支持システムとして存在している。同様に、ウェブ状製品２０のたるみ防止支持接触は、シザーズロッドリンケージシステム１４に巻き取られ、それに沿って自由に受動的に回転する支持ロールまたはキャリアロール２１によって保証される。シザーズロッドリンケージシステム１４の欠点は、必要な支持長さを短くする際に、支持システム５によって傾けたり折り畳んだりしなければならないことである。これは、スライドブロックガイドのようにガイドレール３１によってクランプキャリア１，２の下で実行される。
【００３９】
すでに図１に示されているとおり、三次元タイプのウェブ状製品を引き出すための装置が、原理的または概略的な配置で、図９に示されている。したがって、図１ですでに説明した個々のコンポーネントについては、ここでは個別に説明しない。どのイベントでも同じ参照符号は同じ要素を意味する。図９によるさらなる実施形態の例では、いくつかのセグメントの５つの昇降テーブル２６が支持システム５として示されている。支持システム５として機能する昇降テーブル２６は、装置の床に配置され、図９には示されていない昇降テーブルリンケージを備え、昇降テーブルリンケージは、油圧シリンダ２７によってそれぞれ制御されて駆動または移動可能であり、したがって、昇降テーブル２６は、床上に位置する非支持位置から支持位置まで上方に、実際にはウェブ状製品の平面まで駆動可能または移動可能である。したがって、昇降テーブルは、床位置または非支持位置から支持位置への支持のためにウェブ状製品２０の底面まで駆動可能または移動可能なテレスコープ式の可動支持接触面を含む。
【００４０】
図１０ａでは、本発明による装置の長手方向の視線方向において、昇降テーブル２６の形態の支持システムが、床に配置された非支持位置で示されている。その点に関して、昇降テーブルリンケージ２８は一緒に折り畳まれ、その結果、昇降テーブル２６の直接支持接触面は、床上の昇降テーブルの基礎上に載る。昇降テーブルリンケージ２８は、例えば、油圧シリンダ２７または空気圧シリンダまたはサーボモータによって広げることができ、それにより、昇降テーブル２６自体が非支持位置から支持位置へ移動可能または駆動可能である。
【００４１】
図１０ａには、個々のセグメントに分割された上部クランプバー１０と、同様に個々のセグメントに分割された下部クランプバー１１とを含む第１のクランプキャリア１が示されている。さらに、キャリアフレーム装置３が概略的に示されている。
【００４２】
図１０ａと同じ本発明による装置の側面図を図１０ｂに示す。ただし、油圧シリンダ２７の駆動を介して、昇降テーブルリンケージ２８は広がっており、昇降テーブルが床位置から中間位置に移動している。その他のすべての要素と詳細は、図１０ａの要素と詳細に対応している。
【００４３】
図１０ｃでは、昇降テーブルリンケージ２８は、油圧シリンダ２７によって広がっており、昇降テーブル２６はクランプバー１０，１１の領域の支持位置に配置されている。図１０ｃには示されていない、支持されるウェブ状製品２０は、次いで、昇降テーブル２６上に接触しているので、たるみは本質的に防止される。
【符号の説明】
【００４４】
１  第１のクランプキャリア
２  第２のクランプキャリア
３  キャリアフレーム装置
４  織機に面した装置側
５  支持システム
６  テンションケーブル
７  スティフバックチェーン
８  引き出し方向
９  支持システム用保管ユニット／チェーン保管ユニット
１０  上部クランプバー
１１  下部クランプバー
１２  クランプバー本体
１３  開口部
１４  シザーズロッドリンケージ
１５  ケーブルドラグチェーン
１６  スピンドル
１７  カバー
１８  たるみ
１９  織機
２０  ウェブ状製品
２１  キャリアロール
２２  ボールベアリング
２３  キャリアロールトレイン
２４  ガイドトラッククランプキャリア
２５  平面ウェブ状製品
２６  昇降テーブル
２７  油圧シリンダ
２８  昇降テーブルロッドリンケージ
２９  支持接触面
３０  ケーブル巻き取り機
３１  ガイドレールシザーズロッドリンケージシステム
【図１】
2020529376.tif 000003
【図２】
2020529376.tif 000004
【図３ａ】
2020529376.tif 000005
【図３ｂ】
2020529376.tif 000006
【図４】
2020529376.tif 000007
【図５】
2020529376.tif 000008
【図６ａ】
2020529376.tif 000009
【図６ｂ】
2020529376.tif 000010
【図６ｃ】
2020529376.tif 000011
【図７ａ】
2020529376.tif 000012
【図７ｂ】
2020529376.tif 000013
【図８】
2020529376.tif 000014
【図９】
2020529376.tif 000015
【図１０ａ】
2020529376.tif 000016
【図１０ｂ】
2020529376.tif 000017
【図１０ｃ】
2020529376.tif 000018
【手続補正書】
【提出日】令和1年5月10日(2019.5.10)
【手続補正１】
【補正対象書類名】明細書
【補正対象項目名】全文
【補正方法】変更
【補正の内容】
【発明の詳細な説明】
【技術分野】
【０００１】
本発明は、織機からウェブ状製品を引き出すための装置に関する。
【背景技術】
【０００２】
織機からウェブ状製品を引き出すための装置は知られている。それらは、通常、ウェブ状製品、特に織物ウェブが連続的または部分的に製造される場合に利用され、これにより、織機から引き出された後に製造されたウェブ状製品は、それらをさらなる加工または処理プロセスに供給するために、巻き取られる。
【０００３】
ウェブ状製品を製造し、引き出すための装置は、独国特許第１０２０１５２２２１４２号明細書から知られている。クランプを備えた２つのクランプキャリアは、織機からウェブ状製品を引き出すのに役立ち、さらに駆動手段が設けられ、それによってクランプキャリアがウェブ状製品の引き出し方向に前後に駆動される。ウェブ状製品の引き出しは、クランプの制御された開閉に関連するクランプキャリアの前後運動によって達成され、クランプキャリア用の駆動手段の作動により、クランプを備えたウェブ状製品に引張応力または引張力が加えられる。この既知の装置によれば、ウェブ状製品は、主要部分と補助部分を備えて製造される。補助部分は、これらの部分でクランプがウェブ状製品を把持するように機能し、つまり、クランプの開閉は、ウェブ状製品を保持するための補助部分が製造されているウェブ状製品を製造する時間セグメントでのみ実行される。
【０００４】
厚紙ウェブまたは紙ウェブを印刷、スタンピングまたはエンボス加工の機械に供給するための装置は、英国特許出願公開第２１００８７号明細書から知られている。紙ウェブまたは厚紙ウェブを供給するために、連続した平面プレートの形の固定静止支持基板が設けられ、この上で、印刷、スタンピング、またはエンボス加工される厚紙または紙の材料がスライド式にガイドされる。つまり、プレートはしっかりと取り付けられており、厚紙または紙ウェブがその上をスライドする。対応する印刷、スタンピング、またはエンボス加工のダイがその上に配置され、厚紙または紙のウェブが支持基板とダイとの間でガイドされる。厚紙または紙材料を印刷またはスタンピングまたはエンボス加工できるようにするために、送りデバイスの断続的な動作が提供される。そのために、厚紙または紙ウェブは、支持基板の前後にクランプされる。このクランプは、厚紙または紙ウェブの引き出しには役立たず、むしろ支持基板上の厚紙または紙ウェブの固定された拘束および固定された静止接触の確保に役立つため、ダイは対応して印刷、スタンピングまたはエンボス加工できる。
【発明の概要】
【発明が解決しようとする課題】
【０００５】
本発明の根底にある目的は、厚い用品、特にいわゆる多層の織物ウェブやファブリックなどの３Ｄ用品に利用可能な、織機からウェブ状製品を引き出すための装置を製造することに関し、この装置により、ウェブ状製品の完成した製造部分のたるみを最小限に抑えるか、完全に回避する。
【課題を解決するための手段】
【０００６】
この目的は、請求項１に記載の特徴を有する織機からウェブ状製品を引き出すための装置によって達成される。好適なさらなる開発は、従属請求項に定義されている。
【０００７】
織機からウェブ状製品を引き出すための本発明による装置は、ウェブ状製品用のクランプを含む少なくとも１つのクランプキャリア、クランプキャリアがガイドされるキャリアフレーム装置、および織機からのウェブ状製品の引き出し方向の運動範囲においてクランプキャリアが前後に駆動可能になる駆動手段を備える。その点で、引き出しは好ましくは水平に達成される。本発明の範囲において、「ウェブ状製品」という用語は、特に三次元的に実現されたウェブ状製品を覆うものとして理解されるべきであり、好ましくは多層の織物ウェブやファブリックを含む。本発明によれば、クランプキャリアは、クランプキャリアの動作範囲内でウェブ状製品をクランプで保持できるように実現される。本発明によれば、ウェブ状製品の支持システムは、少なくとも織機に面する装置側と、キャリアフレーム装置内のクランプキャリアとの間に設けられる。それにより、装置側とクランプキャリアとの間の許容できないほど大きなたるみが回避される。ウェブ状製品は、織機のクランプキャリアによって把持可能であり、基本的に生産速度で引き出し方向にガイドできる。とりわけ、支持システムは、ウェブ状製品を引き出すための装置内でたるみを許容することなく、織機から厚くてある程度柔軟なウェブ状製品を引き出すことができるように機能する。すなわち、三次元、例えば多層の実現されたウェブ状製品の場合、自重により許容できないほど大きなたるみが生じ、それにより三次元的に実現されたウェブ状製品の内部構造が変形して、品質が低下する危険性が存在する。
【０００８】
支持システムにより、ウェブ状製品が支持されるため、いずれの場合も製品のわずかなたるみしか存在しない。ここで、厚さが約６〜２０ｍｍの製品、または場合によっては４０〜１００ｍｍ以上の範囲にある製品は、非常に厚いまたは多層のウェブ状製品とも呼ばれる。そのような三次元的に実現されたウェブ状製品は、もはや布ビームまたは巻き取りローラに巻き付けられることはできない。それにより、この三次元的に実現されたウェブ状製品は、その内部構造が損傷および変形する可能性がある。したがって、通常、非常に厚いウェブ状製品は、三次元構造を形成する個々の層または個々の糸がずれたり変形したりしないように、織機から水平方向、つまり経糸方向に引き出されなければならない。用途または利用状況に応じて、装置内で保持および支持される製品部分は比較的長くなる可能性があるため、たるみの回避が最も重要である。
【０００９】
ウェブ状製品部分のおそらく生じるたるみは、装置の幅、すなわちキャリアフレーム装置の幅、織機から引き出し用の装置に製品部分を引き込むクランプキャリアの引張応力、製造された部分の長さ、およびウェブ状製品の単位面積当たりの重量に依存する。本発明による支持システムにより、製品部分を装置内でそのような平面状に保持できるので、幅方向および長手方向の織物ウェブの品質が許容できないほど大きなたるみによって損なわれることはない。
【００１０】
好ましくは、織機とは反対側の装置の側面と第１のクランプキャリアとの間に第２のクランプキャリアがさらに設けられる。ウェブ状製品は、第１および第２のクランプキャリアによって少なくとも一時的にクランプされた状態で保持される。これは、ウェブ状製品がその前端でクランプにより保持され、織機の装置側に面する後端で少なくとも一時的に同様にクランプで保持されることを意味する。
【００１１】
好ましくは、支持システムは、テンションケーブルまたはスティフバックチェーン、あるいはテンションケーブルとスティフバックチェーンの組み合わせの形態で実現される。その点に関して、支持システムは、ウェブ状製品の生産速度に対応する速度で引き出し方向に移動可能である。支持システムが製品部分の生産速度に対応する速度で移動可能であるため、製品を損傷する可能性のある望ましくない摩擦が支持システムに生じないことが保証される。
【００１２】
本発明のさらなる開発によれば、第１の、または場合によっては、第２のクランプキャリアは、テンションケーブルおよび／またはスティフバックチェーンを駆動し、それにより、好ましくは、テンションケーブルをケーブル巻き取り機に巻き取ることができ、スティフバックチェーンをチェーン保管ユニットにスライドすることができ、またはこれらから引き出すことができる。ケーブル巻き取り機および／またはチェーン保管ユニットは、１つまたは複数のクランプキャリアの前後運動中に支持システムを巻き取るか、またはそのような保管ユニットから巻き戻すのに役立つ。巻き取りまたは巻き戻し保管ユニットを使用する利点は、とりわけ、装置の作業長が製品部分の変更された所望の長さに容易に適応できるという点にある。
【００１３】
「スティフバックチェーン（stiff-backed chains）」またはいわゆるスラストチェーンという用語は、次々に配置され、チェーンピンもしくはボルトで接続された複数のチェーンリンクで構成されるチェーンと理解され、チェーンピンの軸を中心とするチェーンリンクの曲げまたはねじれが一方向に可能であるが、他の方向ではチェーンリンクの直線配列を超えたねじれがブロックされるように実現される。そのようなチェーンの例示的な実施形態は、例えば、欧州特許出願公開第１７４４０７９号明細書、独国実用新案第２０２０９９５７号明細書、または独国特許出願公開第１０１３７９３９号明細書に見られる。したがって、これらのチェーンは、製品部分の支持に役立つ支持平面から外れることなく、製品の下の支持として生産方向に押されることができる。
【００１４】
好ましくは、テンションケーブルまたはスティフバックチェーンは、製品部分の長手方向に移動可能であり、互いに平行である。つまり、製品部分がクランプキャリアによってガイドされるキャリアフレーム装置の幅にわたって、テンションケーブルおよび／またはスティフバックチェーンは、製品部分の均一な支持を保証する支持または接触面の平面、すなわち支持平面が形成されるように、互いに隣り合って配置されるため、これは装置内でたるみがほとんどなく、すなわち特に引き出し方向に対応する長手方向にたるみがないようにガイドできる。
【００１５】
運動が互いに同期している少なくとも２つのスティフバックチェーンを備えた支持システムは、織機に面する装置側と、第１のクランプキャリアまたは（存在する場合）第２のクランプキャリアとの間の領域に設けることが好ましい。一方で、支持システムのコスト、労力、または複雑さを制限内に維持する必要があり、他方では、製品部分には特定の自己剛性が含まれる場合、２つのスティフバックチェーンのみを提供することは、とりわけ適切であり、このため、製品部分は、織物ウェブ部分の直接的な支持が与えられていない２つのスティフバックチェーンの間でたるまないか、少なくとも大幅にはたるまない。
【００１６】
好ましくは、各クランプキャリアは、クランプキャリア内のクランプバー本体に取り付けられるクランプとしてそれぞれ１つの上部および１つの下部クランプバーを備え、それにより、テンションケーブルおよび／またはスティフバックチェーンすなわちスラストチェーンがそれぞれの下部クランプバー本体の開口部を通じてガイドされる。その点に関して、製品部分のクランプのために必要なクランプストロークまたは各下部クランプバーの移動が、テンションケーブルおよび／またはスティフバックチェーンが支持平面から外れることなく実行され得るようなサイズの開口部が適切である。
【００１７】
クランプバーの代わりに、原則としてフック状または針状の要素を利用して、ウェブ状製品をクランプキャリアに固定することができる。したがって、例えば、フック形状の要素が取り付けられたバーまたは針が付いたバーを、上部および／または下部のクランプキャリアに取り付けることができる。垂直クランピングストロークを実行する場合、フックまたは針はウェブ状製品に沈むか、または貫通する。これらの場合、グランド材料の損傷を避けるために、ウェブ状製品に特定の間隔距離で補助部分を提供する必要があり、この補助部分は後で切断される。
【００１８】
さらなる例示的な実施形態によれば、テンションケーブルおよび／またはスティフバックチェーンは、無端要素として実現される。そのような場合、前述の巻き取りデバイスまたは巻き戻しデバイスは省略される。代わりに、テンションケーブルまたはチェーンを装置内で引き出し方向から反対方向に偏向させるために、ケーブルローラまたはチェーンホイールなどの偏向要素が設けられる。これにより、構造的に単純化された実施形態がもたらされ、これは、常に一定の長さの製造される製品部分に適切であり得る。
【００１９】
さらに好ましくは、テンションケーブルおよび／またはスティフバックチェーンは、ウェブ状製品の引き出し方向の第１のクランプキャリアまたは場合によっては第２のクランプキャリアの運動で巻き取りおよび巻き戻し可能である。そのために、巻き取りユニットまたは巻き戻しユニットがそれぞれのクランプキャリアに組み込まれているため、この装置または装置全体をコンパクトに実現できる。
【００２０】
特許請求されていない支持システムは、キャリアフレーム装置内に配置された昇降テーブルを備え、昇降テーブルは、格納位置から下側で製品部分を支持する支持位置に搬送可能であり、本質的にたるみを回避する。複数の昇降テーブルで構成される昇降テーブルシステムを設けることもできる。
【００２１】
同様に、第１のクランプキャリアまたは適用可能な場合は第２のクランプキャリアと織機との間でウェブ状製品を下側で支持する特許請求されていない支持システムが、例えばキャリアロール、スライドレール、スライドシート、テンションケーブルを有するシザーズロッドリンケージシステムを備える。このようなシザーズロッドリンケージシステムの利点は、とりわけ、装置内で支持される製品部分の支持長さが製品部分の異なる長さに比較的容易に適応できるという点にある。
【００２２】
キャリアロール、スライドレール、スライドシートまたはテンションケーブルは、支持される製品部分に向かう方向を向くそれぞれの表面が支持平面を形成するように、シザーズロッドリンケージシステムに配置される。シザーズロッドリンケージシステムは、好ましくは約３：１の長さの比率で、引き延ばされた状態から引き込まれた「押しつぶされたまたは圧縮された」状態に搬送可能である。好ましくは６ｍの装置の長さでは、押しつぶされたまたは圧縮された長さは約２ｍになる。したがって、織物ウェブの廃棄物を小さく保つために、シザーズロッドリンケージシステムをクランプキャリアの下の領域に下向きに搬送可能にすることをさらに提供することができ、これは、スライドブロックガイドのようにガイドレールによって特に実現可能である。
【００２３】
本発明のさらなる利点、実施形態、および詳細を、いくつかの例示的な実施形態による図に関連して説明する。
【図面の簡単な説明】
【００２４】
【図１】第１の例示的な実施形態による織機からウェブ状製品を引き出すための本発明による装置の斜視図である。
【図２】図１による装置のクランプキャリアおよびチェーン保管ユニットの詳細図である。
【図３ａ】個々のセグメントからなるクランプバーを備えた本発明による装置の長手方向の原理図である。
【図３ｂ】本発明による支持システムを通って導くための開口部を有するウェブ状製品をクランプするためのクランプバーの詳細図である。
【図４】支持システムとしてケーブルを備えた第２の例示的な実施形態による本発明による装置の原理図である。
【図５】従来技術による装置の側面図であり、キャリアフレーム装置内、ならびに織機とウェブ状製品を引き出すための装置との間の領域におけるウェブ状製品のたるみｆの原理を示している。
【図６ａ】支持システムとして互いに隣り合って配置された２つのキャリアロールトレインを有する第３の例示的な実施形態によるウェブ状製品を引き出すための本発明による装置の図である。
【図６ｂ】図６ａに係るキャリアフレーム装置内で互いに隣り合って配置された２つのキャリアロールトレインの詳細図である。
【図６ｃ】図６ａに係る例示的な実施形態による軸受支持体を含むキャリアロールの拡大詳細図である。
【図７ａ】スラストチェーンとして実現された支持システムを備えた、図１〜図３に係る本発明による装置の側部領域を示す図であり、そのスラストチェーンは、保管ユニットに収容され、再び巻き戻され得る。
【図７ｂ】スラストチェーンとして実現された支持システムを備えた、図１〜図３に係る本発明による装置の側部領域を示す図であり、そのスラストチェーンは、保管ユニットに収容され、再び巻き戻され得る。
【図８】支持システムとしてのシザーズロッドリンケージシステムの形態のウェブ状製品を引き出すための装置の特許請求されていない例を示す図である。
【図９】支持システムとして５つの昇降テーブルを備えた昇降テーブルシステムを備えた特許請求されていない装置の斜視図である。
【図１０ａ】昇降テーブルが完全に下方に駆動された図９に係る装置の原理図である。
【図１０ｂ】昇降テーブルが部分的に延伸された図９に係る装置を示す図である。
【図１０ｃ】昇降テーブルが支持位置に延伸している図９に係る装置を示す図である。
【発明を実施するための形態】
【００２５】
原理または概略説明の側面図において、図５は、従来技術によるウェブ状製品２０を引き出すための装置を示している。図５は、装置の長手方向の断面図を表している。この装置は、２つのクランプキャリア１，２、キャリアフレーム３、２つのクランプキャリア用の駆動スピンドル１６、カバー１７、および織機１９を含む。製造されたウェブ状用品、すなわちウェブ状製品２０は、クランプキャリア１とクランプキャリア２との間に示されており、中央にたるみ１８（ｆ２）を含む。本発明による装置は、このたるみを回避または制限する。織機１９と引き出し装置との間のたるみｆ１も回避されるようにするために、引き出し装置が織機１９に可能な限り近接して配置されるのがさらに好適である。
【００２６】
本発明による装置の第１の実施形態の斜視図が図１に示されている。装置は、装置側４が引き出し方向８で織機に面するように配置され、いわば、図示されていない織機の隣にあるかまたはそれに接する。図１の例では、キャリアフレーム装置３は、第１のクランプキャリア１と第２のクランプキャリア２を搭載し、後者は、チェーン保管ユニット９を備え、その中に、支持システム５として設けられたスティフバックチェーン７が配置されている。スティフバックチェーン７の数は、この例ではこのようなチェーン７のうちの４つが示されており、織機によって製造されるウェブ状製品の幅およびその自己剛性に応じて決定される。
【００２７】
チェーン保管ユニット９が第２のクランプキャリア２に割り当てられ、クランプキャリアは、ウェブ状製品を把持してクランプし、引き出しのために生産速度で動かすために装置内に設けられる。支持システム５の支持長さは、製造されたウェブ状製品の第２のクランプキャリア２までの長さに対応し；支持システムの残りの部分は保管ユニット内にあり、ここに示されている実施形態では、チェーン保管ユニット９内でスティフバックチェーン７として巻き取られる。これにより、装置の背面部分、図１の左下に示されている部分は、チェーン保管ユニット９まで保守作業のために作業員が自由にアクセスできる。スピンドル１６は、キャリアフレーム装置３の両側に設けられ、そのスピンドルは割り当てられ対応する駆動部（図示せず）を介して、キャリアフレーム装置内でクランプデバイス１，２を前後に駆動する。スピンドル１６の隣には、ケーブルドラグチェーン１５が配置され、これにより、クランプキャリアの駆動部への対応する供給ラインの供給または送達が保証される。スティフバックチェーンは、互いに対して間隔距離を有し、これにより、幅方向にも、現在の自重によるウェブ状製品のたるみを防ぐ。
【００２８】
ウェブ状製品２０が織機によって製造されるとき、第２のクランプキャリア２は、ウェブ状製品の前縁を把持またはクランプし、製造される部分の所望の長さにわたってウェブ状製品の生産速度で、クランプ方式で同じように移動する。引き出しの間、製造されたウェブ状製品２０は、スティフバックチェーン７上でたるみが本質的にない状態で支持される。ウェブ状製品２０の第１の部分の製造された長さに達した後、第１のクランプキャリア１は、次の製造されたウェブ状製品部分の前縁を把持し、引き出し装置と織機との間の張力を維持する。第１のクランプキャリアによってウェブ状製品部分を把持した後、第２のクランプキャリア２のクランプを開くことができる。次に、第２のクランプキャリア２が引き出し装置の後方領域から戻って移動し、製造されたウェブ状製品部分を、オペレータによって装置から取り出すことができる。スティフバックチェーン７は、クランプキャリア１および２の開口部１３を通ってガイドされる。第２のクランプキャリアが本発明による引き出し装置の後方領域から織機に向かう方向に移動すると、これらは再びチェーン保管ユニット９に巻き取られる。
【００２９】
引き出し方向８と反対の方法で開かれた第２のクランプキャリア２が第１のクランプキャリア１に到達するとすぐに、第１のクランプキャリアによって把持された製品部分は、クランプおよび駆動部の対応する制御によって第２のクランプキャリアに転送され、そして上記のプロセスが新たに始まる。
【００３０】
それぞれ第１のクランプキャリア１および第２のクランプキャリア２の上部クランプバー１０および下部クランプバー１１の詳細斜視図が図２に示されている。スティフバックチェーン７は、クランプキャリア１および２のクランプバー本体１２を通って開口部１３を通ってガイドされ、チェーン保管ユニット９にガイドされ、そこで巻き取られる。対応する逆の運動により、チェーン保管ユニット内のチェーンが再び巻き戻される。この図では、第２のクランプキャリア２はクランプバー１０，１１をほぼ閉じているが、第１のクランプキャリア１では、上部クランプバー１０と下部クランプバー１１が大きく開いている。クランプバー１０，１１の領域では、スティフバックチェーン７の上に載っている間、製造されたウェブ状製品２０は、第１のクランプキャリア１および第２のクランプキャリア２を通って本質的にたるみのない状態でガイドされ、これにより、対応するクランプバー１０，１１がウェブ状製品２０のクランプに効果的になることができる。
【００３１】
取り出しまたは引き出しの方向、すなわち、ウェブ状製品を引き出すための装置の長手方向の原理または概略図が図３ａに示されており、ウェブ状製品２０は、上部クランプバー１０と下部クランプバー１１との間に支持された方法でクランプまたは保持される。上部クランプバー１０と下部クランプバー１１の両方が個々のセグメントに分割されている。三次元ウェブ状製品２０の製造中に、製造された厚さに特定の差が生じ得るか、またはそのように意図的に製造されるため、それにより、クランプするウェブ状製品の幅にわたる任意の場所で各クランプキャリアに滑りまたは不十分なクランプが生じないことが保証される。下部クランプバー１１を形成するセグメントには、対応する開口部１３が、スティフバックチェーン７によってウェブ状製品を支持するための間隔距離に対応して設けられており、その開口部を通して、スティフバックチェーンはクランプされる製品２０およびクランプバーとの衝突が回避されるようにガイドされる。図示された第１のクランプキャリアは、両側に設けられたガイドトラック２４を介してガイドされる。クランプされるウェブ状製品は、平面２５に延びている。加えて、スピンドル１６が示されており、これは、それぞれのクランプキャリア１，２の運動の安全で信頼できる正確な駆動を保証する。
【００３２】
第１のクランプキャリア１および第２のクランプキャリア２のクランプ領域のさらなる詳細図が、図３ｂの斜視図に示されている。一例として、スティフバックチェーン７が１つだけ示されており、上部クランプバー１０と下部クランプバー１１との間で有効な実際のクランプ領域の下で、それぞれのクランプバー本体１２に開口部１３が設けられ、その開口部を通して、スティフバックチェーン７がガイドされる。スティフバックチェーン７をガイドする開口部１３は、クランプバー本体１２に機械加工されている。スティフバックチェーン７の上方には、支持接触面２９がクランプバー１０，１１の直前と直後に設けられ、支持接触面上にウェブ状製品２０が載置され、クランプバー１０，１１の直接クランプ面とほぼ同じレベルにある。これらの支持接触面２９とスティフバックチェーンの上面の支持平面との間には高さの差が存在し、この高さの差は必要であり、このため、スティフバックチェーン７がクランプバー本体１２を通じて、実際には、クランプバー１０，１１の直接クランプ面の下でガイドされ得、その結果、他方では、その移動の目的のために設けられた位置でウェブ状製品のクランプが行われ得る。第１および第２のクランプキャリアの２つの下部クランプバー本体１２が示されており、図３の左側に示されている第１のクランプキャリアのクランプバー本体は、開口部１３により底部に向かって移動または駆動するため、スティフバックチェーン７は、開口部１３の上部リムまたはエッジの上面で、まだほとんど滑っていない。対照的に、図３の右側に示されている第２のクランプキャリアのクランプバー本体１２は、支持接触面２９が上部クランプバー１０および下部クランプバー１１の直接クランプ面と本質的に同一平面に揃うように、上方に向かって移動または駆動される。
【００３３】
さらなる例示的な実施形態が図４に示されており、そこでは、互いに本質的に平行に配置された複数のテンションケーブル６が支持システムとして設けられている。テンションケーブル６は、長手方向にキャリアフレーム装置３の間でウェブ状製品２０を引き出すために、本発明による装置内に延在する。その点に関して、テンションケーブル６は、そのような張力により、張力下でクランプキャリア１，２の間の領域をまたぐかまたは覆うことができるように寸法付けられ、その結果、搬送中にウェブ状製品２０または製品部分の接触を支持すると、テンションケーブル６はたるまないか、わずかにたるんでいる。テンションケーブル６は、装置の前側４の領域でケーブル巻き取り機３０に固定され、本質的にウェブ状製品２０の生産速度での第２のクランプキャリア２の運動でケーブル巻き取り機３０から引き出され、そのため、引き出された長さは、第２のクランプキャリアまでのウェブ状製品の製造直後の長さに対応する。ケーブルは、互いに対して本質的に一定の間隔距離で配置される。ウェブ状製品２０の製造幅に応じて、支持に不要なテンションケーブルを外すことができ、その結果、製品のたるみを回避するために、製造されたウェブ状製品２０の幅によって要求されるように、互いに隣り合って配置された非常に多くのテンションケーブル６のみが第２のクランプキャリア２によって張力下でケーブル巻き取り機３０から引き出される。図４から、ウェブ状製品２０は織機１９により製造され、ウェブ状製品を引き出すための装置に転送されることが分かる。キャリアフレーム装置３の両側は、原理または概略図で示されており、それぞれ対応するスピンドル１６が配置され、その上にクランプキャリア１，２が軸受で支持され可動式にガイドされる。
【００３４】
本発明による別の例示的な実施形態が図６ａに示されており、そこでは、支持システム５は、互いに隣り合って配置された２つのキャリアロールトレイン２３によって実現されている。ウェブ状製品２０は、図６ａによる装置を右から左に向かって引き出し方向に走行する。チェーン保管ユニット９は、ウェブ状製品を引き出すための装置へのウェブ状製品２０の入口の右側のキャリアフレーム装置３に設けられている。本発明による装置の出口端には、第２のクランプキャリア２が示されており、そこにチェーン７の他端が固定され、キャリアロール２３が軸受で支持されている。互いに平行な向きで互いに隣り合って配置されたキャリアロールトレイン間の間隔距離は、製造されたウェブ状製品２０の自己剛性に応じて適合され得る。
【００３５】
図６ａによる例示的な実施形態は、図６ｂの拡大図に示されている。このことから、個々のキャリアロール２１は、両側がそれぞれスティフバックチェーンまたはスラストチェーンで接続されていることが明らかとなり、その結果、この例示的な実施形態による支持システム５は、同様に、同じたるみのないウェブ状製品２０の生産速度でのウェブ状製品を引き出すための装置を介して搬送され得、なぜなら、キャリアロール２１を備えたこの支持システム５は、自己剛性または固有の剛性が本質的にキャリアロール２１によって直接支持されていないキャリアロール間の中間空間のたるみを防ぐように実現されているためである。
【００３６】
スラストチェーンとそれぞれ２つのキャリアロール２１は、図６ｃに再び拡大した図で示されている。この図から、スラストチェーン上で、ローラベアリング２２と２つの隣接するキャリアロール２１は、個々のローラベアリング２２間の軸方向の間隔距離の４倍の倍数に対応する互いの間隔距離で配置されていることが明らかになる。ウェブ状製品２０の剛性に応じて、キャリアロール２１の間隔距離を変えることができるため、最も狭い場合には、１つのキャリアロール２１が個々のローラベアリング２２に割り当てられる。
【００３７】
図７ａは、原理または概略図で、ウェブ状製品２０を引き出すための本発明による装置の側面を示し、実際、スラストチェーンの形でスティフバックチェーン７を有する図１から図３による例示的な実施形態を示している。そのようなスラストチェーン７の１つの可能な実施形態が図７ｂに示されている。これにより、チェーンリンク７．１，７．２，７．３が交互に提供され、それぞれチェーンジョイントを介して相互に接続される。各チェーンジョイントには、チェーンボルトまたはピン７．４が含まれる。チェーンリンク７．１および７．２は、チェーンの走行方向の端面に、支持またはブレーシング輪郭を備えている。支持またはブレーシング輪郭の配置は、チェーンボルトまたはピン７．４の軸を中心としたチェーンリンクの回転が、隣接する支持またはブレーシング輪郭の接触により、可能な両方の回転方向の一方で防止されるように実現される。したがって、チェーンは、チェーンのボルトまたはピンに垂直な方向およびチェーンの長手方向軸に垂直な方向にねじれることなく力を吸収できる。この特性は、「スティッフバック」とも呼ばれる。チェーンリンクと支持またはブレーシング輪郭は、ここでは例示的な方法で示されている。記載された特性を達成するために、例えば、上記の先行技術により、そのようなスラストチェーンの他の形式および実施形態も可能である。
【００３８】
これらのスラストチェーンは、製造されたウェブ状製品２０の対応する支持領域を形成する。一端において、これらのスティフバックチェーン７は、それぞれの割り当てられたチェーン保管ユニット９にガイド可能である。必要な支持部の長さを短くすると、スティフバックチェーン７がチェーン保管ユニット９に搬送または送り込まれ、そこで巻き取られる。対照的に、必要な支持領域を長くすると、チェーンはチェーン保管ユニット９から巻き戻される。ウェブ状製品をより長い長さで製造する場合、支持システムとしてスティフバックチェーン７を上部に向かってわずかに湾曲させるまたは反らせることは確かに適切であり、その結果、その上にウェブ状製品が静止接触する負荷の下で、スティフバックチェーンは、本質的に平坦な、いわゆるヌル位置に変形する。
【００３９】
特許請求されていない例が図８に示されており、シザーズロッドリンケージシステム１４が支持システムとして存在している。同様に、ウェブ状製品２０のたるみ防止支持接触は、シザーズロッドリンケージシステム１４に巻き取られ、それに沿って自由に受動的に回転する支持ロールまたはキャリアロール２１によって保証される。シザーズロッドリンケージシステム１４の欠点は、必要な支持長さを短くする際に、支持システム５によって傾けたり折り畳んだりしなければならないことである。これは、スライドブロックガイドのようにガイドレール３１によってクランプキャリア１，２の下で実行される。
【００４０】
三次元タイプのウェブ状製品を引き出すための特許請求されていない装置が、原理的または概略的な配置で、図９に示されている。図１で説明した同一の個々のコンポーネントについては、ここでは個別に説明しない。どのイベントでも同じ参照符号は同じ要素を意味する。図９による装置では、いくつかのセグメントの５つの昇降テーブル２６が支持システム５として示されている。支持システム５として機能する昇降テーブル２６は、装置の床に配置され、図９には示されていない昇降テーブルリンケージを備え、昇降テーブルリンケージは、油圧シリンダ２７によってそれぞれ制御されて駆動または移動可能であり、したがって、昇降テーブル２６は、床上に位置する非支持位置から支持位置まで上方に、実際にはウェブ状製品の平面まで駆動可能または移動可能である。したがって、昇降テーブルは、床位置または非支持位置から支持位置への支持のためにウェブ状製品２０の底面まで駆動可能または移動可能なテレスコープ式の可動支持接触面を含む。
【００４１】
図１０ａでは、図９による装置の長手方向の視線方向において、昇降テーブル２６の形態の支持システムが、床に配置された非支持位置で示されている。その点に関して、昇降テーブルリンケージ２８は一緒に折り畳まれ、その結果、昇降テーブル２６の直接支持接触面は、床上の昇降テーブルの基礎上に載る。昇降テーブルリンケージ２８は、例えば、油圧シリンダ２７または空気圧シリンダまたはサーボモータによって広げることができ、それにより、昇降テーブル２６自体が非支持位置から支持位置へ移動可能または駆動可能である。
【００４２】
図１０ａには、個々のセグメントに分割された上部クランプバー１０と、同様に個々のセグメントに分割された下部クランプバー１１とを含む第１のクランプキャリア１が示されている。さらに、キャリアフレーム装置３が概略的に示されている。
【００４３】
図１０ａと同じ装置の側面図を図１０ｂに示す。ただし、油圧シリンダ２７の駆動を介して、昇降テーブルリンケージ２８は広がっており、昇降テーブルが床位置から中間位置に移動している。その他のすべての要素と詳細は、図１０ａの要素と詳細に対応している。
【００４４】
図１０ｃでは、昇降テーブルリンケージ２８は、油圧シリンダ２７によって広がっており、昇降テーブル２６はクランプバー１０，１１の領域の支持位置に配置されている。図１０ｃには示されていない、支持されるウェブ状製品２０は、次いで、昇降テーブル２６上に接触しているので、たるみは本質的に防止される。
【符号の説明】
【００４５】
１  第１のクランプキャリア
２  第２のクランプキャリア
３  キャリアフレーム装置
４  織機に面した装置側
５  支持システム
６  テンションケーブル
７  スティフバックチェーン
８  引き出し方向
９  支持システム用保管ユニット／チェーン保管ユニット
１０  上部クランプバー
１１  下部クランプバー
１２  クランプバー本体
１３  開口部
１４  シザーズロッドリンケージ
１５  ケーブルドラグチェーン
１６  スピンドル
１７  カバー
１８  たるみ
１９  織機
２０  ウェブ状製品
２１  キャリアロール
２２  ローラベアリング
２３  キャリアロールトレイン
２４  ガイドトラッククランプキャリア
２５  平面ウェブ状製品
２６  昇降テーブル
２７  油圧シリンダ
２８  昇降テーブルロッドリンケージ
２９  支持接触面
３０  ケーブル巻き取り機
３１  ガイドレールシザーズロッドリンケージシステム
【手続補正２】
【補正対象書類名】特許請求の範囲
【補正対象項目名】全文
【補正方法】変更
【補正の内容】
【特許請求の範囲】
【請求項１】
ウェブ状製品（２０）のクランプを含む少なくとも１つのクランプキャリア（１）と、前記クランプキャリア（１）がガイドされるキャリアフレーム装置（３）と、前記クランプキャリア（１）が引き出し方向（８）の運動範囲内で前後に駆動できる駆動手段と、を備えた、前記ウェブ状製品（２０）を織機（１９）から前記引き出し方向（８）に引き出すための装置において、少なくとも前記織機に面する装置側（４）と前記クランプキャリア（１）の間の領域で、前記キャリアフレーム装置（３）内で、前記織機から生産速度で引き出される前記ウェブ状製品（２０）のための支持システム（５）は、この領域での前記ウェブ状製品（２０）のたるみ（１８）が前記支持システム（５）によって回避または制限されるように設けられ、前記支持システム（５）は、前記ウェブ状製品（２０）の前記生産速度に対応する速度で前記引き出し方向（８）に移動可能なテンションケーブル（６）および／またはスティフバックチェーン（７）を含むことを特徴とする、装置。
【請求項２】
第１のクランプキャリア（１）に加えて、第２のクランプキャリア（２）が設けられ、両方のクランプキャリア（１，２）は、前記ウェブ状製品（２０）が前記第１のクランプキャリア（１）と前記第２のクランプキャリア（２）とにより少なくとも一時的に同時にクランプされた状態で保持されるように構成され、駆動可能であることを特徴とする、請求項１に記載の装置。
【請求項３】
前記テンションケーブル（６）および／または前記スティフバックチェーン（７）が前記引き出し方向に前後に駆動可能であることを特徴とする、請求項１または２に記載の装置。
【請求項４】
前記テンションケーブル（６）および／または前記スティフバックチェーン（７）を、ケーブル巻き取り機（３０）またはチェーン保管ユニット（９）に巻き取るもしくは押し込むことができ、またはこれから引き出すことができることを特徴とする、請求項１または２に記載の装置。
【請求項５】
前記ウェブ状製品（２０）のための前記支持システム（５）が、互いに運動が同期化された少なくとも２つのスティフバックチェーン（７）を備えることを特徴とする、請求項１または２に記載の装置。
【請求項６】
前記ケーブル巻き取り機（３０）または前記チェーン保管ユニット（９）が、前記織機に面する前記装置側（４）または前記装置のクランプキャリア（１，２）に配置されることを特徴とする、請求項４に記載の装置。
【請求項７】
少なくとも１つのクランプキャリア（１，２）が、クランプバーとして実現された上部クランプ（１０）および下部クランプ（１１）をそれぞれ備え、前記テンションケーブル（６）および／または前記スティフバックチェーンは、それぞれの下部クランプバー本体（１２）の開口部を通してガイドされ、前記開口部は、前記テンションケーブル（６）および／または前記スティフバックチェーン（７）が前記ウェブ状製品を支持する水平配置から外れることなく、前記ウェブ状製品（２０）をクランプするために前記それぞれの下部クランプバー（１１）の必要なクランプストローク距離を実行できるようなサイズであることを特徴とする、請求項１または２に記載の装置。
【請求項８】
前記テンションケーブル（６）および／または前記スティフバックチェーン（７）が無端要素として実現されることを特徴とする、請求項１または２に記載の装置。
【請求項９】
前記ウェブ状製品が三次元的に実現されることを特徴とする、請求項１から８のいずれか一項に記載の装置。
【国際調査報告】
2020529376.tif 000019
2020529376.tif 000020
2020529376.tif 000021
2020529376.tif 000022
2020529376.tif 000023